【手続補正書】
【提出日】平成26年12月3日(2014.12.3)
【手続補正１】
【補正対象書類名】明細書
【補正対象項目名】全文
【補正方法】変更
【補正の内容】
【発明の詳細な説明】
【発明の名称】加圧流動炉システムの非常停止方法
【技術分野】
【０００１】
本発明は、下水汚泥、バイオマス、都市ゴミ等の被処理物を燃焼する加圧流動炉システムの非常停止方法に関するものであり、より詳細には、過給機のコンプレッサーのサージによる作動不良を抑制し、加圧流動炉内に残留する被処理物を完全燃焼し有害物質の発生を抑制する加圧流動炉システムの非常停止方法に関するものである。
【背景技術】
【０００２】
従来、下水汚泥、バイオマス、都市ゴミ等の被処理物を燃焼し、焼却炉から排出される燃焼排ガスの持つエネルギーを有効に取り出すことに着目した焼却設備として、加圧流動炉システムが知られている。加圧流動炉システムは、被処理物を燃焼させる加圧流動炉と、加圧流動炉から排出される燃焼排ガスによって回動されるタービンとタービンの回動に伴って回動され圧縮空気を供給するコンプレッサーを内装する過給機を有することを特徴とするシステムである。加圧流動動炉システムでは、被処理物を完全燃焼させた際に生じる燃焼排ガスによって過給機のタービンを駆動し、コンプレッサーから排出される圧縮空気によって被処理物の燃焼に必要な燃焼空気を全て賄う自立運転が可能となる。自立運転が可能となることで、従来、必要であった流動ブロワおよび誘引ファンが不要となり、ランニングコストが低減することが知られている。
この加圧流動炉は、通常１５０ｋＰａ程度の炉内圧力で運転されているが、運転中に機器の作動不要などが原因で炉内圧力が設定値以上に上昇した場合、設備損傷を回避するため、システム内の圧力を早急に低下させることが必要であった。このため、コンプレッサーから供給される圧縮空気を外部に排出するよう圧縮空気の流路の一部が分岐し、白煙防止用空気の流路に合流するなどして圧縮空気を大気に開放する流路が設置されている。
また、加圧流動床ボイラの分野においては、加圧流動床ボイラの高圧ガスの空気圧縮機への逆流によって空気圧縮機の損傷を防止するために、プラント停止時に、空気圧縮機と加圧流動床ボイラ流動炉を接続する配管と、ガスタービンと加圧流動床ボイラ流動炉を接続する配管を閉塞し、該配管の加圧流動床ボイラ側から分岐をとった形で煙突へ放風する高温ガス排出管路を開放して、空気圧縮機とガスタービンを接続する配管を連通して加圧流動床ボイラ流動炉を空気圧縮機とガスタービンから隔離状態とする停止方法が提案されている（特許文献１参照）。
【先行技術文献】
【特許文献】
【０００３】
【特許文献１】特開２０００−２１３３０６号公報
【発明の概要】
【発明が解決しようとする課題】
【０００４】
しかしながら、加圧流動炉内の圧力が設定値以上に上昇した場合、加圧流動炉内の圧力を低下させるため、加圧流動炉に供給される圧縮空気を大気に開放すると、加圧流動炉に燃焼空気を供給する流路内の圧力は低下する。一方、加圧流動炉内圧力が開放されるまでに時間を要するため、炉内の気体が、本来加圧流動炉内に燃焼空気を供給する分散管から配管を逆流し、炉内気体とともに逆流した流動砂が分散管や配管を閉塞させる恐れがあった。また、炉内には酸素が供給されなくなるため、炉内に残った被処理物が不完全燃焼する恐れがあった。さらに、圧縮空気を開放するために、特許文献１に記載された加圧流動床ボイラ流動炉を空気圧縮機とガスタービンから隔離状態とする方法を採用した場合であっても、炉内には酸素が供給されなくなるため流動炉内に残留した被処理物の不完全燃焼に起因する一酸化炭素、ダイオキシン等の有害物質が設備の外に排出される虞もあった。また、過給機側に温度の低い圧縮空気が供給されるため、過給機が急速に冷却され作動不良などが生じる虞もあった。
【０００５】
そこで、本発明の主たる課題は、かかる問題点を解消することにある。
【課題を解決するための手段】
【０００６】
上記課題を解決した本発明及び作用効果は次のとおりである。
すなわち、第１発明は、底部に充填した流動砂を加熱する始動用バーナと補助空気供給流路を介して補助空気が供給される補助燃料燃焼装置と燃焼空気供給管とを備えた被処理物を燃焼させる加圧流動炉と、該加圧流動炉の圧力を測定する圧力測定装置と、前記加圧流動炉から排出される燃焼排ガスによって回動されるタービンとタービンの回動に伴って回動され前記加圧流動炉の前記始動用バーナ及び前記燃焼空気供給管それぞれに流路を介して燃焼空気を供給するコンプレッサーを備える過給機と、前記加圧流動炉から排出される燃焼排ガスによって前記過給機から供給される燃焼空気を加熱する空気予熱器を備えた加圧流動炉システムの非常停止方法であって、
前記圧力測定装置による圧力測定値が設定値を越えた場合に、前記補助燃料燃焼装置に接続された補助空気供給流路、又は、前記燃焼空気供給管と前記コンプレッサーを接続する流路の少なくとも一つを閉じる圧縮空気供給停止工程と、
前記加圧流動炉の始動用バーナと前記コンプレッサーを接続する少なくとも一つの流路を連通させる圧縮空気供給開始工程とを含むことを特徴とする。
【０００７】
（作用効果）
圧力測定装置による圧力測定値が設定値を越えた場合に、補助燃料燃焼装置又は燃焼空気供給管と、コンプレッサーとを接続する流路の少なくとも一つを閉じるので、加圧流動炉で生成された燃焼排ガス等が加圧流動炉に燃焼空気等を供給する配管、機器等への浸入を防止することができ、加圧流動炉に充填された流動砂による燃焼空気供給管に形成された開孔部の目詰まり等を防止することができる。
また、加圧流動炉の始動用バーナとコンプレッサーを連通させるので、加圧流動炉から排出される燃焼排ガスの熱エネルギーを、非常停止後もさほど急激な圧力抵抗を変化させずにコンプレッサー駆動力として消費できるので、過給機のコンプレッサーのサージによる作動不良を抑制でき、必要な酸素を加圧流動炉内へ導入することで、加圧流動炉に残留した被処理物も完全燃焼させることができる。
【０００８】
第２発明は、第１発明の構成に加え、前記圧力測定値が設定値を越えた場合に、前記コンプレッサーから供給される圧縮空気を外部に排出する大気開放流路を連通する大気開放工程を含むことを特徴とする。
【０００９】
（作用効果）
圧力測定値が設定値を越えた場合に、前記コンプレッサーから供給される圧縮空気を外部に排出する大気開放流路を連通するので、加圧流動炉内の圧力を素早く低圧にすることができる。
【００１０】
第３発明は、第２発明の構成に加え、前記圧縮空気供給停止工程よりも前に前記大気開放工程を行うことを特徴とする。
【００１１】
（作用効果）
圧縮空気供給停止工程よりも前に前記大気開放工程を行うので、加圧流動炉内の圧力の上昇を抑制することができる。
【００１２】
第４発明は、第１発明の構成に加え、前記圧縮空気供給停止工程において、前記燃焼空気供給管と前記コンプレッサーを接続する流路の閉塞は、前記空気予熱器の燃焼空気の供給口に一端を接続し前記コンプレッサーへ延伸する流路を閉塞することを特徴とする。
【００１３】
（作用効果）
圧縮空気供給停止工程において、空気予熱器の燃焼空気の供給口に一端を接続し延伸する流路を閉塞するので、比較的低温度の燃焼空気を仕切弁に接触させて高温の燃焼排ガスによって加熱された燃焼空気の影響を与えずに流路を閉塞でき、仕切弁等の耐久性を向上させることができる。
【００１４】
第５発明は、第１発明の構成に加え、前記圧縮空気供給開始工程において、前記始動用バーナの燃焼空気の供給口に一端を接続し延伸する流路を連通することを特徴とする。
【００１５】
（作用効果）
圧縮空気供給開始工程において、始動用バーナの燃焼空気の供給口に一端を接続し延伸する流路を連通するので、始動用バーナに接続された加圧流動炉や空気予熱器等の大きな容量を有する機器を介して過給機のコンプレッサーから供給された燃焼空気を機外に放出できるために、コンプレッサーのサージによる作動不良を抑制することができる。
【００１６】
第６発明は、第１〜３発明の構成に加え、前記圧力測定装置を前記加圧流動炉の燃焼排ガスの排出口と前記空気予熱器の燃焼排ガスの供給口を接続する流路に設けたことを特徴とする。
【００１７】
（作用効果）
圧力測定装置を加圧流動炉の燃焼排ガスの排出口と空気予熱器の燃焼排ガスの供給口を接続する流路に設けたので、配管長さに圧力降下の影響を受けず加圧流動炉の圧力変動を正確に測定することができる。
【００１８】
第７発明は、第１〜３発明の構成に加え、前記圧力測定装置を前記空気予熱器の燃焼排ガスの排出口の下流側に接続された流路に設けたことを特徴とする。
【００１９】
（作用効果）
圧力測定装置を空気予熱器の排気ガスの排出口の下流側に接続された流路に設けたので、空気予熱器の圧力損失の補正演算が必要になるが、燃焼排ガスは熱交換後の低温気体となるので、高温の燃焼排ガスの影響を受けず圧力測定装置の耐久性を向上させることができる。
【発明の効果】
【００２０】
以上の発明によれば、非常停止時における炉内に供給される圧縮空気の供給箇所を限定したので炉内の気体や流動砂が分散管や補助燃焼装置から逆流することを抑制することが可能となる。
【図面の簡単な説明】
【００２１】
【図１】加圧流動炉システムの説明図である。
【図２】図１の部分拡大図である。
【図３】図１の部分拡大図である。
【図４】図１の部分拡大図である。
【図５】制御装置の説明図である。
【図６】非常停止装置のフローチャートである。
【図７】非常停止方法のフローチャートである。
【発明を実施するための形態】
【００２２】
以下、本発明の本実施形態について添付図面を参照しつつ詳説する。なお、理解を容易にするため、便宜的に方向を示して説明しているが、これらにより構成が限定されるものではない。
【００２３】
加圧流動炉システム１は、図１に示すように、汚泥等の被処理物を貯留する貯留装置１０と、貯留装置１０から供給された被処理物を燃焼する加圧流動炉２０と、加圧流動炉２０から排出された燃焼排ガスによって加圧流動炉２０に供給する燃焼空気を加熱する空気予熱器４０と、燃焼排ガス中の粉塵等を除去する集塵機５０と、燃焼排ガスによって駆動され加圧流動炉２０に燃焼空気を供給する過給機６０と、過給機６０から排出された燃焼排ガスによって排煙処理塔８０に供給する白煙防止用空気を加熱する白煙防止用予熱器７０と、燃焼排ガス内の不純物を除去する排煙処理塔８０を備えている。
【００２４】
（貯留装置）
貯留装置１０に貯留される被処理物は、主に含水率を７０〜８５％質量に脱水処理された下水汚泥であり、被処理物には、燃焼可能な有機物が含有されている。なお、被処理物は、含水有機物であれば下水汚泥に制限されることはなく、バイオマス、都市ゴミ等であっても良い。
【００２５】
貯留装置１０の下部には、所定量の被処理物を加圧流動炉２０に供給する定量フィーダ（供給装置）１１が配置され、定量フィーダ１１の下流側には、被処理物を加圧流動炉２０に圧送する投入ポンプ１２が設けられている。なお、投入ポンプ１２としては、一軸ネジ式ポンプ、ピストンポンプ等が使用できる。
【００２６】
（加圧流動炉）
加圧流動炉２０は、流動媒体として所定の粒径を有する、流動砂等の固体粒子が炉内の下部に充填された燃焼炉であり、炉内に供給される燃焼空気によって流動層（以下、砂層という。）の流動状態を維持しつつ、外部から供給される被処理物および必要に応じて供給される補助燃料を燃焼させるものである。
図１、図２に示すように、一側の側壁の下部には、加圧流動炉２０の内部に充填された粒径約４００〜６００μｍの流動砂を加熱する補助燃料燃焼装置２１が配置され、補助燃料燃焼装置２１の上側近傍の部位には、始動時に流動砂を加熱する始動用バーナ２２が配置され、始動用バーナ２２の上側の部位には、被処理物の供給口１３Ｂが設けられている。
また、加圧流動炉２０の上部には、燃焼排ガスを冷却するためのウォータガン２３が配置され、必要に応じ冷却水を炉内に噴霧することができる
また、加圧流動炉２０の下方には、炉内に燃焼に必要な酸素と流動層の流動状態を維持するための運動エネルギーとを与える燃焼空気を供給する燃焼空気供給管２４が設置される。この燃焼空気供給管２４は、複数の開孔を有する配管を複数配列した分散管や板状の鉄板等に複数の開口を設けた分散板を用いることが可能である。
【００２７】
補助燃料燃焼装置２１は、加圧流動炉２０に充填された流動砂を加熱するために、燃焼空気供給管（分散管）２４の上側に配置されている。また、補助燃料燃焼装置２１は、燃焼空気供給管２４として用いた分散管と同様に、複数本が並列に配置されている。補助燃料燃焼装置２１には、炉外に設置された補助燃料供給装置２９から都市ガスや重油等の補助燃料が供給される。また、補助燃料燃焼装置２１には、空気供給手段１２０から供給された圧縮空気が補助空気として配管（補助空気供給流路）１２１、補助空気の供給を制御する補助空気供給弁１２１Ｃを介して供給される。供給された圧縮空気は、補助燃料の噴霧や燃焼に使用され、補助燃料と共に炉内に供給することによって流動砂を加熱する。なお、空気供給手段１２０として別途設けられた空気圧縮機を用いてもよいが、過給機６０のコンプレッサー６２を空気供給手段１２０として使用することもでき、コンプレッサー６２から排出される燃焼空気の一部を補助空気として供給することもできる。
なお、補助燃料燃焼装置２１として、ガスガンやオイルガンを使用することもできる。
【００２８】
始動用バーナ２２は、始動時に流動砂の上面を加熱するために、加圧流動炉２０の中心部に向かって立下がり傾斜して配置されている。なお、補助燃料燃焼装置２１と同様に、始動用バーナ２２には、炉外の補助燃料供給装置２９から補助燃料と、過給機６０のコンプレッサー６２から圧縮空気が供給されている。また、始動用バーナ２２の燃焼空気は、配管９６を介して起動用ブロワ６５の発生した送風空気が使用される。
【００２９】
加圧流動炉２０の他側の側壁の下部には、加圧流動炉２０の内部に流動床の流動及び燃焼に用いられる酸素の供給を行う燃焼空気を供給する燃焼空気供給管２４が配置されている。加圧流動炉２０の上部の細径化された側壁には、補助燃料、被処理物等の燃焼によって発生した燃焼ガスや、砂ろ過水、被処理物に内在する水等が加熱されることで生じた水蒸気などを炉外に排出する排出口９０Ａが形成されている。なお、本発明では、燃焼ガス、又は燃焼ガスと水蒸気が混合したガスを燃焼排ガスという。
【００３０】
燃焼空気供給管２４は、補助燃料燃焼装置２１から供給された補助燃料に均等に燃焼空気を供給するために、補助燃料燃焼装置２１の下側に配置される。また、燃焼空気供給管２４には、炉内に燃焼用酸素および流動空気としての燃焼空気を供給するために、複数の開孔を有する配管を複数配列した分散管や板状の鉄板等に複数の開口を設けた分散板を用いることができる。
加圧流動炉２０の側壁には、炉内温度を測定するための温度センサ（図示省略）が高さ方向にそって所定間隔で複数設置されている。設置個所は、砂層およびフリーボード部であり、それぞれ２箇所から３箇所、計４〜６箇所となる。温度センサとしては、熱電対等を使用することが出来る。ここで、フリーボード部とは、加圧流動層燃焼炉１１の内部において砂層の上層部を指す。これら温度センサは、それぞれの設置位置における炉内温度を示す電気信号を制御装置１００に出力する
【００３１】
加圧流動炉２０には、外部から燃焼状況を確認する覗き窓（図示せず）なども設けられている。ところで温度センサや、覗き窓などには、流動砂の付着や、燃焼排ガスの接触を回避するためのパージ空気の供給口が設けられている。このパージ空気は、別途設けられた空気圧縮機から供給される
【００３２】
（空気予熱器）
空気予熱器４０は、加圧流動炉２０の後段に設置され、加圧流動炉２０から排出された燃焼排ガスと燃焼空気とを間接的に熱交換することにより、燃焼空気を所定の温度まで昇温する機器である。
空気予熱器４０は、図１、図３に示すように、一側の側壁の上部には、加圧流動炉２０からの燃焼排ガスの供給口９０Ｂが形成され、供給口９０Ｂの下側近傍部位には、燃焼空気を空気予熱器４０から排出する排出口９１Ａが形成されている。また、燃焼排ガスの供給口９０Ｂは、配管（流路）９０を介して加圧流動炉２０の排出口９０Ａに接続され、燃焼空気の排出口９１Ａは、配管（流路）９１を介して加圧流動炉２０の燃焼空気供給管２４の後部に接続されている。
【００３３】
空気予熱器４０の他側の下部には、燃焼排ガスを空気予熱器４０から排出する排出口９２Ａが形成され、排出口９２Ａの上側近傍の部位には、燃焼空気を機器内に供給する供給口９５Ｂが形成されている。空気予熱器としては、シェルアンドチューブ式熱交換器が好ましい。
【００３４】
（集塵機）
集塵機５０は、空気予熱器４０の後段に設けられており、空気予熱器４０から送出される燃焼排ガスに含まれるダスト、細粒化された流動砂等の不純物を除去する機器である。
集塵機５０に内装されるフィルタとしては、例えばセラミックフィルタやバグフィルタを用いることができ、集塵機５０は、一側の側壁の下部には、燃焼排ガスを機器内に供給する供給口９２Ｂが形成され、上部には、不純物等が取除かれた清浄な燃焼排ガスを機器外に排出する排出口９３Ａが形成されている。また、燃焼排ガスの供給口９２Ｂは、配管９２を介して空気予熱器４０の燃焼排ガスの排出口９２Ａに接続されている。
【００３５】
集塵機５０内には、下部に形成された供給口９２Ｂと上部に形成された排出口９３Ａの上下方向に間の部位にバフィルタ（図示省略）が内装されている。フィルタで取除かれた燃焼排ガス中の不純物等は、集塵機５０内の底部に一時的に貯留された後、定期的に外部に排出される。
【００３６】
（過給機）
過給機６０は、集塵機５０の後段に設けられており、集塵機５０から送出される燃焼排ガスによって回動されるタービン６１と、タービン６１の回動を伝達する軸６３と、軸６３によって回動を伝達されることによって圧縮空気を生成するコンプレッサー６２とから構成されている。生成された圧縮空気は、燃焼空気として加圧流動炉２０へ供給される。
過給機６０のタービン６１側の側壁の下部（軸６３と直交する部位）には、集塵機５０によって不純物が除去された清浄な燃焼排ガスを機器内に供給する供給口９３Ｂが形成され、タービン６１側の側壁の下流側（軸６３と平行する部位）には、燃焼排ガスを機器外に排出する排出口９７Ａが形成されている。また、清浄な燃焼排ガスの供給口９３Ｂは、配管９３を介して集塵機５０の排出口９３Ａに接続されている。
【００３７】
過給機６０のコンプレッサー６２側の側壁の上流側（軸６３と平行する部位）には、空気を機器内に吸気する供給口６７Ｂが形成され、タービン６１側の側壁の上側（軸６３と直交する部位）には、吸気された空気を０．０５〜０．３ＭＰａに昇圧した圧縮空気を機器外に排出する排出口９４Ａが形成されている。また、外気の供給口６７Ｂは、配管１６、６７を介して、空気を吸気する。また、配管６６，６７を介して始動時に加圧流動炉２０に燃焼空気を供給する起動用ブロワ６５とも接続される。一方、圧縮空気の排出口９４Ａは、配管（流路）９４、９５を介して空気予熱器４０の供給口９５Ｂと、配管（流路）９４、９６を介して加圧流動炉２０の始動用バーナ２２の後部に接続されている。
【００３８】
（起動用ブロワ）
起動用ブロワ６５は、加圧流動炉システム１の始動時に、加圧流動炉２０の始動用バーナ２２及び燃焼空気供給管２４に燃焼空気を供給する機器である。また、起動用ブロワ６５は、貯留装置１０からの被処理物の供給の中断等によって、加圧流動炉２０で発生する水蒸気が低減し、過給機６０のタービン６１の回転数が低回転になり、コンプレッサー６２による外気の吸気が低減した場合に、強制的にコンプレッサー６２に配管６６,６７を介して外気を供給する機能を併せ持っている。
起動用ブロワ６５は、配管６６、６８、９６を介して加圧流動炉２０に配置された始動用バーナ２２の後部に接続され、配管６６、６８、９５を介して空気予熱器４０の燃焼空気の供給口９５Ｂに接続され、配管６６、６７を介して過給機６０のコンプレッサー６２の供給口６７Ｂに接続されている。
【００３９】
配管６８の中間部には、バイパス流路である配管６８の、起動用送風機６５から見て配管６７との接続点から遠い部位の連通を行うダンパ６８Ｃが配置されている。ダンパ６８Ｃは、加圧流動炉２０の始動時（始動用バーナ２２の着火時）から加圧流動炉２０の昇温が完了するまで配管６８を連通し、加圧流動炉２０の昇温完了後に、配管６８を遮断する。すなわち、加圧流動炉２０の始動時から焼却炉の昇温が完了するまでは、起動用ブロワ６５から加圧流動炉２０の始動用バーナ２２、空気予熱器４０を介して加圧流動炉２０の燃焼空気供給管２４に燃焼空気を供給し、且つ閉じられていない空気流路である配管６７を介して過給機６０のコンプレッサー６２側にも燃焼空気を供給し、焼却炉の昇温完了後は、ダンパ６８Ｃの閉鎖により、過給機６０のコンプレッサー６２から空気予熱器４０を介して加圧流動炉２０の燃焼空気供給管２４に燃焼空気を供給する。
【００４０】
（白煙防止用予熱器）
白煙防止用予熱器７０は、煙突８７から外部に排出される燃焼排ガスの白煙を防止するために、過給機６０から排出された燃焼排ガスと白煙防止ファンから供給される白煙防止用空気とを間接的に熱交換する機器である。熱交換処理により、燃焼排ガスは冷却されるとともに白煙防止用空気は昇温される。白煙防止用予熱器７０によって熱交換され冷却された燃焼排ガスは、後段の排煙処理塔８０に送出される。白煙防止用予熱器７０としてシェルアンドチューブ式熱交換器やプレート式熱交換器等を用いることができる。
【００４１】
（排煙処理塔）
排煙処理塔８０は、機器外に燃焼排ガスに含まれる不純物等の排出を防止する機器であり、排煙処理塔８０の上部には煙突８７が配置されている。
排煙処理塔８０は、図１、図４に示すように、一側の側壁の下部には、白煙防止用予熱器７０から排出された燃焼排ガスを機器内に供給する供給口９８Ｂが形成され、煙突８７の一側の側壁の下部には、白煙防止用予熱器７０から排ガスと熱交換され温まって排出された白煙防止用空気を煙突８７内に供給する供給口９９Ｂが形成されている。また、燃焼排ガスの供給口９８Ｂは、配管９８を介して白煙防止用予熱器７０の下部に形成された燃焼排ガスの排出口９８Ａに接続され、白煙防止用空気の供給口９９Ｂは、配管９９を介して白煙防止用予熱器７０の上部に形成された白煙防止用空気の排出９９Ａに接続されている。
白煙防止用予熱器７０の白煙防止用空気は、白煙防止用空気送風機１０１により配管１０３を介して白煙防止用予熱器７０に供給され、間接的に燃焼排ガスと熱交換されて、排出口９９Ａから暖められて排出される。煙突８７では、湿潤で空気中凝結して霧状になりがちな出口の燃焼排ガスに、暖められて乾いた白煙防止用空気を供給口９９Ｂで混合して、燃焼排ガスの相対湿度を低下させることで白煙防止を図る。
【００４２】
排煙処理塔８０の他側の側壁の上部には、外部から供給される水を機器内に噴霧する噴霧管８４が配置され、中間部と、下部には、それぞれ、循環ポンプ８３を介して排煙処理塔８０の底部に貯留された苛性ソーダが含有された苛性ソーダ水を機器内に噴霧する噴霧管８５が配置されている。また、排煙処理塔８０に貯留された苛性ソーダ水は、図示しない苛性ソーダポンプ８８を介して図示しない苛性ソーダタンクから供給され、常時適正量に維持されている。
【００４３】
排煙処理塔８０に供給された燃焼排ガスは、不純物等を除去されたのち白煙防止用空気と混合され、煙突８７から外部に排出される。
【００４４】
（非常停止装置）
非常停止装置は、圧力センサ１１０に実装された警告スイッチ１１０Ｃと、配管９５の連通を制御する仕切弁９５Ｃと、配管９６の連通を制御する仕切弁９６Ｃと、入力状態に対応して出力状態を制御する制御装置１００により構成される。なお、圧力センサ１１０は、警告スイッチ１１０Ｃを実装されるものに限定されず、制御装置１００に測定値を出力できれば良い。
【００４５】
過給機６０のコンプレッサー６２と燃焼空気供給管２４は、空気予熱器４０を介し、配管９１、９４、９６、９５によって接続される。また、過給機６０のコンプレッサー６２と加圧流動炉２０の始動用バーナ２２は、配管９４、９６で接続されている。
【００４６】
配管９５の中間部には、配管９５の連通を行う仕切弁９５Ｃが配置され、配管９６の中間部（配管９５と配管９６の分岐部位の下流側）には、配管９６の連通を行う仕切弁９６Ｃが配置されている。
【００４７】
警告スイッチ１１０Ｃは、図５に示すように、制御装置１００の入力側に接続され、制御装置１００の出力側には、仕切弁９５Ｃ、９６Ｃが接続されている。なお、圧力センサ１１０の設置は、配管９０に制限されることはなく、下流側機器の圧力損失の補正演算回路を制御装置１００内に追加することで、配管９２、配管９３、配管９７、配管９８に配置することもできる。また、仕切弁９５Ｃの設置は、配管９５に制限されることはなく、仕切弁９５Ｃが高温に耐えられれば、配管９１に配置することもできる。また、制御装置１００の入力側には、排気ガスに含まれる一酸化炭素、酸素の容量を測定する一酸化炭素濃度計９８Ｃ、酸素濃度計９８Ｄを接続することもできる。
【００４８】
（加圧流動炉システムの非常停止方法）
次に、加圧流動炉システム１の非常停止方法について説明する。非常停止方法は、図７に示すように、加圧流動炉２０内の圧力が燃焼空気供給管２４内の圧力よりも高くなることによって燃焼空気供給管２４の先部に形成された孔が流動砂により閉塞することを防止する非常停止方法である。
【００４９】
加圧流動炉２０内の圧力が設定値（運転可能最大値）以上に上昇した場合、加圧流動炉２０の下流側に接続された燃焼排ガスが流れる配管内の圧力を維持する。加圧流動炉２０内の圧力は、配管９０に配置された圧力センサ１１０により検出され、圧力センサ（圧力測定装置）１１０に実装された警告スイッチ１１０Ｃによって制御装置１００に入力される。警告スイッチ２０Ｃと制御装置１００が非接続（加圧流動炉２０内の圧力が設定値より高い）とされた場合、図６に示すように、加圧流動炉２０内に充填した小粒化した流動砂が、燃焼空気供給管２４の先部に形成された開孔から配管へ逆流することを防止するために、先ず、制御装置１００からの信号により、仕切弁９５Ｃを閉とすることで、燃焼空気供給管２４とコンプレッサー９６とを遮断する（圧縮空気供給停止工程）。また、圧縮空気供給停止工程と同時に、補助燃料燃焼装置の燃焼空気用開口にも流動砂が侵入することを防止するため、噴霧空気が空気供給手段１２０から供給されている場合は、補助空気の供給源である空気圧縮機、または過給機６０と、補助燃料燃焼装置２１とを連通する補助空気供給流路１２１を遮断する。
【００５０】
次に、過給機６０のサージを防止し、加圧流動炉２０内に残留した被処理物を燃焼させるために、過給機６０のコンプレッサー６２と加圧流動炉２０とを接続する燃焼空気が流れる配管を連通する。具体的には、コンプレッサー６２と始動用バーナを連通する配管９６に配置されている仕切弁９６Ｃを、制御装置１００により開とし、始動用バーナを介して加圧流動炉２０内に燃焼空気を供給する（圧縮空気供給開始工程）。コンプレッサー６２から加圧流動炉２０に供給された燃焼空気は、配管９４、９６、始動用バーナ２２から加圧流動炉２０に供給され、加圧流動炉２０内で燃焼され燃焼排ガスとなり、配管９０、空気予熱器４０、配管９２、集塵機５０、配管９３、過給機６０、配管９７、白煙防止用予熱器７０、配管９８、排煙処理塔８０、煙突８７を流れた後に大気中に放出される。
【００５１】
コンプレッサー６２から供給される燃焼空気は、配管９４から分岐し、煙突８７などと連通する大気開放流路（図示省略）によって大気へ開放することも可能である（大気開放工程）。圧力センサ１１０によって測定された圧力が設定値を越えた場合に、流路に設けられた通常時は閉まっているダンパが開となる。これにより流路は煙突８７と連通するため、コンプレッサー６２から供給された燃焼空気を大気に開放することができるため、圧縮空気供給工程が稼働しなかった場合でもコンプレッサー６２のサージを防止することができる。燃焼空気を大気開放した場合、加圧流動炉２０に燃焼空気を供給する燃焼空気供給管２４内の圧力が低下し、加圧流動炉２０の流動砂が燃焼空気供給管２４内に逆流する恐れがあるため、燃焼空気を大気に開放するタイミングは、圧縮空気供給停止工程完了後に行うのが好適である。
【００５２】
貯留装置１０の定量フィーダ１１と投入ポンプ１２については、圧縮空気供給工程を行う前に圧力センサ１１０によって測定された数値が設定値を超えた時点で駆動を停止し、投入ポンプ１２から加圧流動炉２０内への被処理物の供給を停止する。被処理物の供給が停止されることによって、加圧流動炉２０内から排出される燃焼排ガスは低減し、過給機６０のタービン６１の回動が徐々に低速となり、コンプレッサー６２から排出される燃焼空気が徐々に低減し、過給機６０の駆動が停止する。
【符号の説明】
【００５３】
１        加圧流動炉システム
２０      加圧流動炉
２１      補助燃料燃焼装置
２２      始動用バーナ
２４      燃焼空気供給管
４０      空気予熱器    
５０      集塵機
６０      過給機
６１      タービン
６２      コンプレッサー
６５      起動用ブロワ
７０      白煙防止用予熱器
８０      排煙処理塔
８７      煙突
９０      配管（流路）
９１      配管（流路）
９４      配管（流路）
９５      配管（流路）
９６      配管（流路）
１００    制御装置
１１０    圧力センサ（圧力測定装置）
１２１    配管（補助空気供給流路）
【手続補正２】
【補正対象書類名】特許請求の範囲
【補正対象項目名】全文
【補正方法】変更
【補正の内容】
【特許請求の範囲】
【請求項１】
底部に充填した流動砂を加熱する始動用バーナと補助空気供給流路を介して補助空気が供給される補助燃料燃焼装置と燃焼空気供給管とを備えた被処理物を燃焼させる加圧流動炉と、該加圧流動炉の圧力を測定する圧力測定装置と、前記加圧流動炉から排出される燃焼排ガスによって回動されるタービンとタービンの回動に伴って回動され前記加圧流動炉の前記始動用バーナ及び前記燃焼空気供給管それぞれに流路を介して燃焼空気を供給するコンプレッサーを備える過給機と、前記加圧流動炉から排出される燃焼排ガスによって前記過給機から供給される燃焼空気を加熱する空気予熱器を備えた加圧流動炉システムの非常停止方法であって、
前記圧力測定装置による圧力測定値が設定値を越えた場合に、前記補助燃料燃焼装置に接続された補助空気供給流路、又は、前記燃焼空気供給管と前記コンプレッサーを接続する流路の少なくとも一つを閉じる圧縮空気供給停止工程と、
前記加圧流動炉の始動用バーナと前記コンプレッサーを接続する少なくとも一つの流路を連通させる圧縮空気供給開始工程とを含む
ことを特徴とする加圧流動炉システムの非常停止方法。
【請求項２】
前記圧力測定値が設定値を越えた場合に、前記コンプレッサーから供給される圧縮空気を外部に排出する大気開放流路を連通する大気開放工程を含む請求項１記載の加圧流動炉システムの非常停止方法。
【請求項３】
前記圧縮空気供給停止工程よりも前に前記大気開放工程を行う請求項２記載の加圧流動炉システムの非常停止方法。
【請求項４】
前記圧縮空気供給停止工程において、前記燃焼空気供給管と前記コンプレッサーを接続する流路の閉塞は、前記空気予熱器の燃焼空気の供給口に一端を接続し前記コンプレッサーへ延伸する流路を閉塞する請求項１記載の加圧流動炉システムの非常停止方法。
【請求項５】
前記圧縮空気供給開始工程において、前記始動用バーナの燃焼空気の供給口に一端を接続し延伸する流路を連通する請求項１記載の加圧流動炉システムの非常停止方法。
【請求項６】
前記圧力測定装置を前記加圧流動炉の燃焼排ガスの排出口と前記空気予熱器の燃焼排ガスの供給口を接続する流路に設けた請求項１〜３のいずれか１項に記載の加圧流動炉システムの非常停止方法。
【請求項７】
前記圧力測定装置を前記空気予熱器の燃焼排ガスの排出口の下流側に接続された流路に設けた請求項１〜３のいずれか１項に記載の加圧流動炉システムの非常停止方法。